(57)【特許請求の範囲】
【請求項１】
使用者の身長及び体重を含む身体情報を入力する身体情報入力部と、
硬度を含む物性が各々で異なる複数のテスト用寝具と、
前記物性を前記テスト用寝具ごとに格納するテスト用寝具物性格納部と、
前記テスト用寝具で睡眠中の使用者の生体情報を測定する生体情報測定部と、
前記生体情報測定部が測定した前記生体情報を記録する生体情報記録部と、
記録された前記生体情報に基づいて、前記使用者の前記テスト用寝具での睡眠における深睡眠率を算出する深睡眠率算出部と、
前記テスト用寝具での睡眠の後に、前記使用者が感じた熟睡度を入力する熟睡度入力部と、
前記物性、前記深睡眠率、前記熟睡度及び前記身体情報の相関データを格納する睡眠情報格納部と、
前記テスト用寝具ごとに算出された前記深睡眠率及び入力された前記熟睡度を比較して、前記深睡眠率と前記熟睡度が高い前記テスト用寝具を好適寝具として認識する好適寝具認識部と、
前記好適寝具認識部で前記好適寝具として認識された前記テスト用寝具と前記テスト用寝具物性格納部に格納されている前記物性とに基づいて、前記使用者の前記深睡眠率及び前記熟睡度が高くなる前記物性を前記好適物性として認識する好適物性認識部とを備えていることを特徴とする睡眠情報収集システム。
【請求項２】
請求項１に記載の睡眠情報収集システムであって、
前記物性は、反発弾性を含むことを特徴とする睡眠情報収集システム。
【発明の詳細な説明】
【技術分野】
【０００１】
本発明は、寝具の物性に対する使用者の深睡眠率や熟睡度といった睡眠情報を収集するための睡眠情報収集システムに関する。
【背景技術】
【０００２】
従来、使用者の睡眠状況の評価を行い、その評価に基づいて、複数の選択対象寝具から使用者に適すると考えられる寝具を選択する寝具選択システムが知られている。この種の寝具選択システムでは、使用者に対して複数の質問を行い、その回答に基づいて、睡眠状況の評価が行われるものがある（例えば、特許文献１参照。）。
【先行技術文献】
【特許文献】
【０００３】
【特許文献１】特開２００３−２１６７３４号公報
【発明の概要】
【発明が解決しようとする課題】
【０００４】
ところで、特許文献１に記載のような従来の寝具選択システムは、質問に対する回答という使用者の主観的なデータを基準として睡眠状況の評価を行っている。そのため、従来の寝具選択システムを用いて収集することのできる睡眠情報は、使用者の主観が多分に含まれたものとなっていた。
【０００５】
その結果、従来の寝具選択システムを用いて収集された睡眠情報は、客観性に欠けたものとなってしまい、寝具の物性との相関関係を抽出しにくいという問題があった。
【０００６】
本発明は以上の点に鑑みてなされたものであり、信頼性の高い睡眠情報を収集することのできる睡眠情報収集システムを提供することを目的とする。
【課題を解決するための手段】
【０００７】
上記目的を達成するために、本発明の睡眠情報収集システムは、使用者の身長及び体重を含む身体情報を入力する身体情報入力部と、硬度を含む物性が各々で異なる複数のテスト用寝具と、前記物性を前記テスト用寝具ごとに格納するテスト用寝具物性格納部と、前記テスト用寝具で睡眠中の使用者の生体情報を測定する生体情報測定部と、前記生体情報測定部が測定した前記生体情報を記録する生体情報記録部と、記録された前記生体情報に基づいて、前記使用者の前記テスト用寝具での睡眠における深睡眠率を算出する深睡眠率算出部と、前記テスト用寝具での睡眠の後に、前記使用者が感じた熟睡度を入力する熟睡度入力部と、前記物性、前記深睡眠率、前記熟睡度及び前記身体情報の相関データを格納する睡眠情報格納部と、前記テスト用寝具ごとに算出された前記深睡眠率及び入力された前記熟睡度を比較して、前記深睡眠率と前記熟睡度が高い前記テスト用寝具を好適寝具として認識する好適寝具認識部と、前記好適寝具認識部で前記好適寝具として認識された前記テスト用寝具と前記テスト用寝具物性格納部に格納されている前記物性とに基づいて、前記使用者の前記深睡眠率及び前記熟睡度が高くなる前記物性を前記好適物性として認識する好適物性認識部とを備えていることを特徴とする。
【０００８】
このように、本発明の睡眠情報収集システムでは、まず、物性が予め得られているテスト用寝具で、使用者が試験的な睡眠を行う。ここで、物性には、測定が容易であり、体動（すなわち、睡眠状況）に大きく影響する硬度が含まれている。
【０００９】
そして、その試験的な睡眠中に生体情報測定部で測定され、生体情報記録部で記録された生体情報に基づいて、深睡眠率算出部が深睡眠率を算出する。また、その試験的な睡眠の後に、使用者が、その睡眠に対して感じた熟睡度を熟睡度入力部に入力する。その後、睡眠情報格納部が、算出された深睡眠率、入力された熟睡度、使用者の身体情報、及び、使用者が使用したテスト用寝具の物性を、相関データとして格納する。
【００１０】
すなわち、本発明の睡眠情報収集システムでは、使用者個人の生体情報に基づいて得られた深睡眠率及び使用者個人の入力した熟睡度と測定が容易であって睡眠状況に大きく影響する硬度を含む物性との相関データを、試験的な睡眠を行って収集している。したがって、本発明の睡眠情報収集システムによれば、使用者ごとに取得された睡眠情報を、実際に睡眠に影響する物性に対応させつつ状態で収集するので、信頼性の高い睡眠情報を収集することができる。
【００１５】
また、本発明の睡眠情報収集システムにおいては、前記物性は、反発弾性を含むことが好ましい。反発弾性は、測定が比較的容易であり、硬度と同様に、体動（すなわち、睡眠状況）に大きく影響するためである。
【図面の簡単な説明】
【００１６】
【図１】実施形態に係る寝具選択システムの概略構成を示す模式図。
【図２】図１の寝具選択システムがテスト用寝具選択工程で行う処理を示すフローチャート。
【図３】図１の寝具選択システムのタブレットに、使用者の身体情報の入力時に表示される画面の模式図。
【図４】図１の寝具選択システムの身体情報と深睡眠率及び熟睡度とテスト用寝具の物性との相関データのデータテーブルの一例を示す模式図。
【図５】図１の寝具選択システムが寝具選択工程で行う処理を示すフローチャート。
【図６】図１の寝具選択システムが情報収集工程で行う処理を示すフローチャート。
【発明を実施するための形態】
【００１７】
以下、図面を参照して、実施形態に係る寝具選択システムについて説明する。本実施形態の寝具選択システムは、情報収集システムを含むものである。
【００１８】
以下、図１〜図６を参照して、実施形態に係る寝具選択システムについて説明する。
【００１９】
まず、図１を参照して、寝具選択システムＳの構成について説明する。
【００２０】
図１に示すように、寝具選択システムＳは、寝具販売業者が管理するサーバ１と、使用者Ｐの自宅に設置されているタブレット２と、使用者Ｐの生体情報を測定するセンサ３と、寝具販売店の倉庫等に準備されている複数のテスト用寝具Ｔ及び複数の選択対象寝具Ｍとを備えている。サーバ１とタブレット２とは、ネットワークを介して接続されている。
【００２１】
サーバ１は、ＣＰＵやメモリ等を備えた情報処理端末である。サーバ１は、予め収集された睡眠情報を格納する睡眠情報格納部１ａと、試験的な睡眠で使用するテスト用寝具の物性を認識するテスト用物性認識部１ｂと、テスト用寝具の物性を格納するテスト用寝具物性格納部１ｃと、試験的な睡眠で使用するテスト用寝具を選択するテスト用寝具選択部１ｄとを有している。
【００２２】
睡眠情報格納部１ａに格納されている睡眠情報は、予め収集された寝具の物性、深睡眠率又は熟睡度、及び、身体情報の相関データである。この相関データは、タブレット２及び後述する深睡眠率算出部１ｆからの情報に基づいて更新される。
【００２３】
テスト用物性認識部１ｂは、タブレット２で入力された使用者Ｐの身体情報と睡眠情報格納部１ａに格納されている相関データとに基づいて、使用者Ｐの深睡眠率及び熟睡度が高くなる可能性が高い物性をテスト用物性として認識する。
【００２４】
テスト用寝具物性格納部１ｃは、テスト用寝具Ｔごとに、その物性を格納している。
【００２５】
テスト用寝具選択部１ｄは、テスト用物性認識部１ｂで前記テスト用物性として認識された物性とテスト用寝具物性格納部１ｃに格納されている物性とに基づいて、複数のテスト用寝具Ｔから、使用者Ｐの深睡眠率及び熟睡度が高くなる可能性が高いテスト用寝具を選択する。
【００２６】
また、サーバ１は、センサ３から送信された生体情報を記録する生体情報記録部１ｅと、使用者Ｐの深睡眠率を算出する深睡眠率算出部１ｆと、複数のテスト用寝具Ｔから使用者Ｐに好適な寝具を認識する好適寝具認識部１ｇと、使用者Ｐに好適な物性を認識する好適物性認識部１ｈと、選択対象寝具Ｍの物性を格納する選択対象寝具物性格納部１ｉと、使用者Ｐに提案する寝具を選択する寝具選択部１ｊとを有している。
【００２７】
生体情報記録部１ｅは、使用者Ｐがテスト用寝具Ｔで試験的な睡眠を行っている最中にセンサ３が測定した生体情報を、タブレット２を介して、受信し、記録する。
【００２８】
深睡眠率算出部１ｆは、生体情報記録部１ｅが記録した情報に基づいて、テスト用寝具Ｔごとに、使用者Ｐの深睡眠率を算出する。
【００２９】
ここで、深睡眠率とは、睡眠の全時間中に深睡眠となっている割合を示す。また、深睡眠とは、ノンレム睡眠の睡眠段階３及び４の状態（すなわち、徐波睡眠の状態）をいう。
【００３０】
好適寝具認識部１ｇは、テスト用寝具Ｔごとに算出された深睡眠率、及び、タブレット２で入力された熟睡度を比較し、使用者の深睡眠率及び熟睡度が高い前記テスト用寝具を好適寝具として認識する。
【００３１】
好適物性認識部１ｈは、好適寝具認識部１ｇで好適寝具として認識されたテスト用寝具Ｔとテスト用寝具物性格納部１ｃに格納されているテスト用寝具Ｔの物性とに基づいて、使用者Ｐの深睡眠率及び熟睡度が高くなる物性を好適物性として認識する。
【００３２】
選択対象寝具物性格納部１ｉは、選択対象寝具Ｍごとに、その物性を格納している。
【００３３】
寝具選択部１ｊは、好適物性認識部１ｈで好適物性として認識された物性と選択対象寝具物性格納部１ｉに格納されている選択対象寝具Ｍの物性とに基づいて、複数の選択対象寝具Ｍから、使用者Ｐの深睡眠率及び熟睡度が高くなる寝具を選択する。
【００３４】
タブレット２（身体情報入力部、熟睡度入力部）は、入出力部２ａを有している（図３参照）。使用者Ｐは、入出力部２ａを介して、自らの身体情報、テスト用寝具Ｔで睡眠した後に感じた熟睡度を入力するとともに、入出力部２ａに表示されたテスト用寝具Ｔや選択対象寝具Ｍを確認する。
【００３５】
ここで、熟睡度とは、使用者Ｐが睡眠の後に感じたよく眠れたか否かの度合いあり、主観的なものである。熟睡度は、最もよく眠れなかったと感じた場合の「１」から、最も良く眠れたと感じた場合の「５」までの５段階で表される。ただし、熟睡度の度合いは、４段階以下としてもよいし、６段階以上としてもよい。
【００３６】
また、ここで、身体情報には、身長及び体重の他、性別、年齢が含まれている。睡眠情報格納部１ａに格納されている相関データは、これらの身体情報と、寝具の物性並びに深睡眠率及び熟睡度とを対応させたデータとなっている。
【００３７】
なお、寝具選択システムＳにおいては、使用者Ｐが身体情報や熟睡度を自宅で容易に入力可能とするために、身体情報入力部及び熟睡度入力部としてタブレット２を用いている。しかし、本発明の身体情報入力部及び熟睡度入力部は、身体情報及び熟睡度を入力できるものであればよく、ＰＣ等の他の端末を用いてもよい。また、その設置場所も、使用者Ｐの自宅に限られず、寝具販売店の店頭等であってもよい。
【００３８】
センサ３（生体情報測定部）は、テスト用寝具で睡眠中の使用者Ｐの生体情報を測定し、タブレット２を介して、サーバ１の生体情報記録部１ｅに送信する。センサ３で測定する生体情報は、深睡眠率を算出できるものであればよい。例えば、使用者Ｐの睡眠中における脳波の変化、心拍の変化、呼吸の変化又は体動回数等であればよい。
【００３９】
複数のテスト用寝具Ｔは、物性が各々で異なっている。各々のテスト用寝具には番号が付されており、テスト用寝具物性格納部１ｃには、テスト用寝具の番号ごとに、そのテスト用寝具の物性が格納されている。
【００４０】
複数の選択対象寝具Ｍは、物性が各々で異なっている。各々の選択対象寝具には番号が付されており、選択対象寝具物性格納部１ｉには、選択対象寝具の番号ごとに、その選択対象寝具の物性が格納されている。
【００４１】
ここで、寝具選択システムＳにおける寝具には、敷布団の他、枕、マットレス、抱き枕等、睡眠時に使用者Ｐの身体の下に位置する寝具が含まれている。そして、物性には、硬度及び反発弾性の他、保温性、吸放湿性、素材（肌触り）等も含まれている。以下の説明においては硬度についてのみ説明するが、寝具選択システムＳでは、他の物性も、テスト用寝具Ｔや選択対象寝具Ｍの選択の際に、硬度と同様に判断の基準として用いられている。
【００４２】
なお、本発明の寝具は、必ずしも上記のものに限られるものではなく、掛布団や就寝用衣服等を寝具としてもよい。そして、それらを選択対象寝具とする場合には、基準となる物性は、その寝具において測定が容易であり、且つ、睡眠において重要視されるものを用いればよい。例えば、掛布団や就寝用衣服を選択対象寝具とした場合には、保温性、吸放湿性、素材（肌触り）、重量、ドレープ性等を基準とすればよい。
【００４３】
また、本発明の寝具の物性は、必ずしも上記のものに限られるものではなく、寝具が敷布団である場合には、少なくとも硬度を含んでいればよい。
【００４４】
また、寝具選択システムＳには、情報収集システムが含まれている。具体的には、情報収集システムは、サーバ１の情報収集部Ｓａと、タブレット２と、センサ３と、複数のテスト用寝具Ｔとで構成されている。情報収集部Ｓａには、睡眠情報格納部１ａ、テスト用寝具物性格納部１ｃ、生体情報記録部１ｅ及び深睡眠率算出部１ｆが含まれる。
【００４５】
次に、図１〜図４を参照して、寝具選択システムＳが、テスト用寝具選択工程で行う処理について説明する。なお、図２は、テスト用寝具選択工程で行われる処理を示すフローチャートである。
【００４６】
まず、タブレット２が、使用者Ｐによってタブレット２の入出力部２ａに入力された、使用者Ｐの身体情報をサーバ１に送信する（図２／ＳＴＥＰ１０）。
【００４７】
具体的には、図３に示すように、タブレット２の入出力部２ａに、自身の名前、性別、年齢、身長、体重を身体情報として入力する。入力された身体情報は、ネットワークを介して、サーバ１のテスト用物性認識部１ｂに送信される。
【００４８】
次に、サーバ１のテスト用物性認識部１ｂが、受信した身体情報に基づいて、使用者Ｐの深睡眠率及び熟睡度が高くなる可能性が高い物性を睡眠情報格納部１ａから検索し、検索された物性をテスト用物性として認識する（図２／ＳＴＥＰ１１）。
【００４９】
具体的には、テスト用物性認識部１ｂは、受信した身体情報に基づいて、対象部位（すなわち、睡眠時に使用者Ｐの身体に接する寝具の領域）ごとに、睡眠情報格納部１ａに格納されている予め収集された物性、深睡眠率又は熟睡度、及び、身体情報の相関データを参照し、使用者Ｐの深睡眠率及び熟睡度が高くなる可能性が高い物性を検索する。
【００５０】
この相関データには、図４に示すように、性別、年齢、対象部位ごとに、身長及び体重から算出されたＢＭＩ値及び硬度等の物性に、平均深睡眠率及び平均熟睡度を対応させたものとなっている。物性には、硬度の他、反発弾性、通気性、重さ、素材（肌触り）等が含まれている。また、対象部位としては、腰、頭、肩等が含まれている。
【００５１】
次に、サーバ１のテスト用寝具選択部１ｄが、認識されたテスト用物性と一致する物性、又は、それに近い物性をテスト用寝具物性格納部１ｃから検索し、その検索結果に基づいて、複数のテスト用寝具Ｔから、使用者Ｐが試験的な睡眠で使用するテスト用寝具Ｔを選択し、そのテスト用寝具Ｔの情報をタブレット２に送信する（図２／ＳＴＥＰ１２）。
【００５２】
テスト用寝具Ｔの物性は、それぞれのテスト用寝具Ｔに付された番号ごとに、睡眠情報格納部１ａに格納された相関データと同様の項目が含まれている。具体的には、対象部位ごとの硬度や反発弾性等が含まれている。
【００５３】
このとき、物性は対象部位ごとに取得されているが、それらの物性の重要度は、対象部位によって異なる。そのため、寝具選択システムＳでは、まず最も重要度の高い腰を対象部位とした物性に基づいて、全てのテスト用寝具Ｔからいくつかのテスト用寝具Ｔを選択し、その後、選択されたテスト用寝具Ｔの中から、比較的重要度の低い頭や肩を対象部位とした物性に基づいて、使用者Ｐに提案するテスト用寝具Ｔを選択する。
【００５４】
最後に、タブレット２が、選択されたテスト用寝具Ｔを表示する（図２／ＳＴＥＰ１３）。
【００５５】
使用者Ｐ及び寝具販売業者は、その表示された結果に基づいて、使用者Ｐが試験的な睡眠を行うための手配（テスト用寝具Ｔの配送等）を行う。
【００５６】
なお、選択されたテスト用寝具Ｔを必ずしもタブレット２に表示する必要はなく、その選択されたテスト用寝具Ｔを用いて使用者Ｐが試験的な睡眠を行うことができればよい。例えば、その選択結果に基づいて、自動的に、使用者Ｐの自宅に選択されたテスト用寝具Ｔが配送されるようになっていてもよい。
【００５７】
以上のＳＴＥＰ１０〜ＳＴＥＰ１３が、寝具選択システムＳにおけるテスト用寝具選択工程である。
【００５８】
次に、図１及び図５を参照して、寝具選択システムＳが、寝具選択工程で行う処理について説明する。なお、図５は、寝具選択工程で行われる処理を示すフローチャートである。
【００５９】
まず、使用者Ｐは、選択されたテスト用寝具Ｔで試験的な睡眠を行う。その睡眠の最中に、センサ３が、テスト用寝具選択工程で選択されたテスト用寝具Ｔで睡眠中の使用者Ｐの生体情報を測定するとともに、その生体情報を、タブレット２を介して、サーバ１の生体情報記録部１ｅに送信する（図５／ＳＴＥＰ２０）。
【００６０】
ここで測定される生体情報は、使用者Ｐの睡眠中における脳波の変化、心拍の変化、呼吸の変化又は体動回数等、深睡眠率を算出可能なデータであればよい。
【００６１】
次に、サーバ１の生体情報記録部１ｅが、センサ３が測定し、タブレット２を介して送信された生体情報を記録する（図５／ＳＴＥＰ２１）。
【００６２】
次に、サーバ１の深睡眠率算出部１ｆが、生体情報記録部１ｅが記録した生体情報に基づいて、使用者Ｐの選択されたテスト用寝具Ｔにおける深睡眠率を算出する（図５／ＳＴＥＰ２２）。
【００６３】
具体的には、生体情報に基づいて、使用者Ｐが深睡眠となっている時間を算出し、その算出された時間と試験的な睡眠における使用者Ｐの睡眠の全時間とに基づいて、深睡眠率（睡眠の全時間中に深睡眠となっている割合）を算出する。
【００６４】
次に、使用者Ｐは、試験的な睡眠の後に、テスト用寝具Ｔを用いた試験的な睡眠に対して感じた熟睡度を５段階（１〜５の数値）で判断し、タブレット２に入力する。そして、タブレット２が、使用者Ｐによって入力された熟睡度をサーバ１に送信する（図５／ＳＴＥＰ２３）。
【００６５】
なお、寝具選択システムＳでは、入力された熟睡度の送信を、深睡眠率の算出（図５／ＳＴＥＰ２２）の後に行っているが、同時に行ってもよいし、深睡眠率の算出の前に行ってもよい。
【００６６】
次に、サーバ１の好適寝具認識部１ｇが、深睡眠率算出部１ｆで算出された深睡眠率及びタブレット２に入力された熟睡度に基づいて、使用者Ｐの深睡眠率及び熟睡度の両方が高くなったテスト用寝具Ｔを、好適寝具として認識する（図５／ＳＴＥＰ２４）。
【００６７】
深睡眠率及び熟睡度が高いか否かの判定は、例えば、１つの又は所定の数のテスト用寝具Ｔにおいて算出された深睡眠率及び入力された熟睡度を予め定められた所定の値と比較することによって行う。すなわち、寝具選択システムＳでは、深睡眠率及び熟睡度の両方が所定の値より低い場合には、深睡眠率及び熟睡度の両方が所定の値のテスト用寝具Ｔが発見されるまで、テスト用寝具Ｔを用いた試験的な睡眠が繰り返し行われる。
【００６８】
なお、テスト用寝具Ｔの種類が少ない場合等には、全てのテスト用寝具Ｔで試験的な睡眠を行うようにしてもよい。その場合には、算出された深睡眠率や入力された熟睡度を所定の値と比較するのではなく、テスト用寝具Ｔごとに算出された深睡眠率や入力された熟睡度を互いに比較してもよい。
【００６９】
また、使用者Ｐが満足した場合には、１回だけで試験的な睡眠を終了してもよい。逆に、使用者Ｐが満足しない場合には、所定の値よりも高い深睡眠率及び熟睡度となっても、他のテスト用寝具Ｔを用いた試験的な睡眠を継続してもよい。
【００７０】
次に、好適物性認識部１ｈが、好適寝具認識部１ｇで好適寝具として認識されたテスト用寝具Ｔの物性をテスト用寝具物性格納部１ｃに格納された物性から検索し、検索された物性を好適物性として認識するとともに、その好適物性をタブレット２に送信する（図５／ＳＴＥＰ２５）。
【００７１】
次に、サーバ１の寝具選択部１ｊが、認識された好適物性と一致する物性、又は、それに近い物性を選択対象寝具物性格納部１ｉから検索し、その検索結果に基づいて、複数の選択対象寝具Ｍから、使用者Ｐに提案する寝具を選択し、その寝具の情報をタブレット２に送信する（図５／ＳＴＥＰ２６）。
【００７２】
選択対象寝具Ｍの物性は、それぞれの選択対象寝具Ｍに付された番号ごとに、睡眠情報格納部１ａに格納された相関データと同様の項目が含まれている。具体的には、対象部位ごとの硬度や反発弾性等が含まれている。
【００７３】
このとき、物性は対象部位ごとに取得されているが、それらの物性の重要度は、対象部位によって異なる。そのため、寝具選択システムＳでは、まず最も重要度の高い腰を対象部位とした物性に基づいて、全ての選択対象寝具Ｍからいくつかの選択対象寝具Ｍを選択し、その後、選択された選択対象寝具Ｍの中から、比較的重要度の低い頭や肩を対象部位とした物性に基づいて、使用者Ｐに提案する選択対象寝具Ｍを選択する。
【００７４】
最後に、タブレット２が、対象部位ごとの好適物性、選択された選択対象寝具Ｍ及びその対象部位ごとの物性を表示する（図５／ＳＴＥＰ２７）。
【００７５】
なお、物性は必ずしも対象部位ごとに分ける必要はなく、１つの寝具に対して１つの物性としてもよい。また、タブレット２には、必ずしも物性を表示する必要はなく、選択対象寝具Ｍのみを表示するようにしてもよい。
【００７６】
以上のＳＴＥＰ２０〜ＳＴＥＰ２７が、寝具選択システムＳにおける寝具選択工程である。
【００７７】
次に、図１及び図６を参照して、寝具選択システムＳが、情報収集工程で行う処理について説明する。なお、図６は、情報収集工程で行われる処理を示すフローチャートである。
【００７８】
この情報収集工程は、上記のテスト用寝具選択工程及び寝具選択工程と同時に行われるものである。
【００７９】
この情報収集工程は、寝具選択システムＳに含まれる情報収集システムによって行われる。情報収集システムは、サーバ１の情報収集部Ｓａと、タブレット２と、センサ３と、複数のテスト用寝具Ｔとで構成されている。情報収集部Ｓａには、睡眠情報格納部１ａ、テスト用寝具物性格納部１ｃ、生体情報記録部１ｅ及び深睡眠率算出部１ｆが含まれる。
【００８０】
まず、タブレット２が、サーバ１の睡眠情報格納部１ａに、使用者Ｐによってタブレット２の入出力部２ａに入力された、使用者Ｐの身体情報を送信する（図６／ＳＴＥＰ３０）。
【００８１】
このとき、睡眠情報格納部１ａは、身体情報を一時的に記憶する。
【００８２】
次に、サーバ１の深睡眠率算出部１ｆが、センサ３が測定し、サーバ１の生体情報記録部１ｅが記録した生体情報に基づいて、使用者Ｐの選択されたテスト用寝具Ｔにおける深睡眠率を算出する（図６／ＳＴＥＰ３１）。
【００８３】
次に、サーバ１の深睡眠率算出部１ｆが、サーバ１の睡眠情報格納部１ａに、算出した深睡眠率を送信する（図６／ＳＴＥＰ３２）。
【００８４】
このとき、睡眠情報格納部１ａは、予め記憶されていたその使用者Ｐの身体情報に対応させた形で、受信した深睡眠率を一時的に記憶する。
【００８５】
次に、タブレット２が、サーバ１の睡眠情報格納部１ａに、使用者Ｐによって入力された熟睡度を送信する（図６／ＳＴＥＰ３３）。
【００８６】
次に、タブレット２が、サーバ１の睡眠情報格納部１ａに、入力された熟睡度を送信する（図６／ＳＴＥＰ３５）。
【００８７】
このとき、睡眠情報格納部１ａは、予め記憶されていたその使用者Ｐの身体情報に対応させた形で、受信した熟睡度を一時的に記憶する。
【００８８】
最後に、サーバ１の睡眠情報格納部１ａが、一時的に記憶しておいた身体情報ごとに、算出された深睡眠率、入力された熟睡度、対応するテスト用寝具Ｔ（すなわち、その深睡眠率が算出され、熟睡度が入力された際の試験的な睡眠で用いられたテスト用寝具Ｔ）の物性を格納する（図６／ＳＴＥＰ３４）。
【００８９】
以上のＳＴＥＰ３０〜ＳＴＥＰ３４が、寝具選択システムＳにおける情報収集工程である。
【００９０】
以上説明したように、睡眠情報収集システムを含む寝具選択システムＳでは、使用者Ｐ個人の生体情報に基づいて得られた深睡眠率及び使用者個人Ｐの入力した熟睡度と測定が容易であって睡眠状況に大きく影響する硬度を含む物性との相関データを、試験的な睡眠を行って収集している。
【００９１】
したがって、睡眠情報収集システムを含む寝具選択システムＳによれば、使用者ごとに取得された睡眠情報を、実際に睡眠に影響する物性に対応させつつ状態で収集するので、信頼性の高い睡眠情報を収集することができる。
【００９２】
以上、図示の実施形態について説明したが、本発明はこのような形態に限られるものではない。
【００９３】
例えば、上記実施形態では、サーバ１の備える処理部において、各種情報の処理を行っている。しかし、情報の処理は、必ずしもサーバで行う必要はない。例えば、一部の処理をタブレットで行う等、適宜処理する端末は変更してもよい。
【００９４】
また、上記実施形態では、情報収集の対象とする物性に、硬度の他、反発弾性等が含まれている。しかし、寝具が敷布団等の睡眠時に使用者Ｐの身体の下に位置する寝具である場合には、物性には少なくとも硬度が含まれていればよいので、情報収集の対象とする物性から反発弾性を除いてもよい。逆に、情報収集の対象とする物性に、上記実施形態で例示した物以外の物性を含めてもよい。
【符号の説明】
【００９６】
１…サーバ、１ａ…睡眠情報格納部、１ｂ…テスト用物性認識部、１ｃ…テスト用寝具物性格納部、１ｄ…テスト用寝具選択部、１ｅ…生体情報記録部、１ｆ…深睡眠率算出部、１ｇ…好適寝具認識部、１ｈ…好適物性認識部、１ｉ…選択対象寝具物性格納部、１ｊ…寝具選択部、２…タブレット（身体情報入力部、熟睡度入力部）、２ａ…入出力部、３…センサ（生体情報測定部）、Ｍ…選択対象寝具、Ｐ…使用者、Ｓ…寝具選択システム、Ｓａ…情報収集部、Ｔ…テスト用寝具。
【図１】
0006269980.tif 000002
【図２】
0006269980.tif 000003
【図３】
0006269980.tif 000004
【図４】
0006269980.tif 000005
【図５】
0006269980.tif 000006
【図６】
0006269980.tif 000007